(57)【特許請求の範囲】
【請求項１】
室内空気取入開口部および室内空気排出開口部を有する本体ケースと、本体ケース内に配置された送風機と、送風機の風量を制御する送風制御部と、を有し、天井板の上面に設置される本体ユニットと、
天井板の下面から室内空気取入開口部を覆うように、本体ユニットに着脱自在に取り付けられ、室内空気取入開口部を室内空間に連通する通気孔を有する化粧板と、
室内環境検出センサーと、室内環境検出センサーの検出動作を制御するモジュール制御部と、を有するセンサーモジュールと、を備え、
本体ユニットは、センサーモジュールを別のセンサーモジュールと交換可能に装着して送風制御部と接続するモジュール取り付け部を備え、
化粧板は、モジュール取り付け部に装着されたセンサーモジュールが脱着可能に取り付けられる取り付け孔を有し、
モジュール制御部は、室内環境検出センサーによる検出結果に基づく検出情報を送風制御部に出力し、送風制御部は、入力された検出情報に基づいて送風機の風量を制御し、
センサーモジュールが取り付けられた第１の取り付け孔を有する第１の化粧板と、センサーモジュールとは別のセンサーモジュールが取り付けられ、第１の取り付け孔とは異なる形状に形成された第２の取り付け孔を有する第２の化粧板とのいずれか一方が他方に対して交換可能に、本体ユニットに取り付けられる、換気扇。
【請求項２】
モジュール制御部は、室内環境検出センサーの識別情報を送風制御部に出力し、送風制御部は、入力された識別情報および検出情報に基づいて、送風機の風量を制御する、請求項１に記載の換気扇。
【請求項３】
モジュール取り付け部は、複数のセンサーモジュールを同時に装着可能であり、
送風制御部は、複数のセンサーモジュールから入力される互いに異なる検出情報に基づいて、予め設定されたアルゴリズムを用いて送風機の風量を演算する演算部を有する、請求項１または２に記載の換気扇。
【請求項４】
モジュール制御部は、室内環境検出センサーの種別または検出結果に基づく送風機の風量情報を決定して、決定した風量情報を検出情報として送風制御部に出力する、請求項１から３のいずれか１つに記載の換気扇。
【請求項５】
１つのセンサーモジュールにおけるモジュール取り付け部への装着部分が、別のセンサーモジュールにおける装着部分と共通する形状を有する、請求項１から４のいずれか１つに記載の換気扇。
【請求項６】
センサーモジュールは、室内環境検出センサーとして、人感センサー、温度センサー、湿度センサー、照度センサー、一酸化炭素センサー、および二酸化炭素センサーのいずれか１つを備える、請求項１から５のいずれか１つに記載の換気扇。
【請求項７】
同一建屋内に設置される少なくとも２台の請求項１から６のいずれか１つに記載の換気扇を備え、建屋内の換気風量を一定に保つ換気システムであって、
それぞれの換気扇は、
装着されたセンサーモジュールより入力された検出情報に基づいて決定された自己の風量情報を他の換気扇へ送信する情報送信部と、
他の換気扇の風量情報を受信する情報受信部と、
自己の送風機の風量情報と、情報受信部にて受信した他の換気扇の風量情報との合計風量を、予め設定された建屋内の総換気風量の情報と比較し、総換気風量を保つよう自己の送風機の風量を決定する風量決定手段と、を備える、換気システム。
【請求項８】
それぞれの換気扇において、情報送信部および情報受信部を有する通信モジュールが、モジュール取り付け部に装着される、請求項７に記載の換気システム。
【請求項９】
室内空気取入開口部および室内空気排出開口部を有する本体ケースと、本体ケース内に配置された送風機と、送風機の風量を制御する送風制御部と、を有し、天井板の上面に設置される本体ユニットと、
天井板の下面から室内空気取入開口部を覆うように、本体ユニットに着脱自在に取り付けられ、室内空気取入開口部を室内空間に連通する通気孔を有する化粧板と、
室内環境検出センサーと、室内環境検出センサーの検出動作を制御するモジュール制御部と、を有するセンサーモジュールと、を備え、
本体ユニットは、センサーモジュールを別のセンサーモジュールと交換可能に装着して送風制御部と接続するモジュール取り付け部を備え、
化粧板は、モジュール取り付け部に装着されたセンサーモジュールが脱着可能に取り付けられる取り付け孔を有し、
モジュール制御部は、室内環境検出センサーによる検出結果に基づく検出情報を送風制御部に出力し、送風制御部は、入力された検出情報に基づいて送風機の風量を制御する換気扇を少なくとも２台、同一建屋内に設置させて備え、建屋内の換気風量を一定に保つ換気システムであって、
それぞれの換気扇は、
装着されたセンサーモジュールより入力された検出情報に基づいて決定された自己の風量情報を他の換気扇へ送信する情報送信部と、
他の換気扇の風量情報を受信する情報受信部と、
自己の送風機の風量情報と、情報受信部にて受信した他の換気扇の風量情報との合計風量を、予め設定された建屋内の総換気風量の情報と比較し、総換気風量を保つよう自己の送風機の風量を決定する風量決定手段と、を備え、
それぞれの換気扇において、情報送信部および情報受信部を有する通信モジュールが、モジュール取り付け部に装着される、換気システム。
【発明の詳細な説明】
【技術分野】
【０００１】
本発明は、天井に設置される換気扇に関する。
【背景技術】
【０００２】
従来のこの種の換気扇は、下面に室内空気取入開口部、側面または上面に室内空気排出開口部を有する本体ケースと、この本体ケース内に設けられた送風機と、送風機の運転制御を行う制御部とを備えた構成を有している。さらに、室内環境を検出するセンサーとして、例えば人感センサーが取り付けられ、この人感センサーは制御部に接続されている。人感センサーにより人の存在を検出した場合に、制御部において送風機を駆動する、あるいは送風風量を増加させるような制御が行われるようになっている（例えば、特許文献１、２参照）。
【先行技術文献】
【特許文献】
【０００３】
【特許文献１】特開平６−３００３４１号公報
【特許文献２】特開２０１０−１１７１１１号公報
【発明の概要】
【０００４】
しかしながら、このような室内環境を検出するセンサーとしては、人感センサーの他に、温度、湿度センサー、照度センサーなど様々な種類のセンサーが存在する。また、換気扇を取り付ける環境は、各家、各事務所などによって極めて多くの環境が存在する。そのため、換気扇に搭載されるセンサーの種類や設置環境に合わせた多くの機種が必要となり、その結果として、生産コスト、管理コスト等が高くなるという課題がある。また、一度換気扇を設置した後、センサーの種類を変える必要が生じる場合もあるが、このような場合には換気扇全体を交換する必要がある。
【０００５】
本発明の目的は、上記従来の課題を解決するもので、生産や管理コストの低減を図ることができる換気扇および換気システムを提供することにある。
【０００６】
本発明の一の態様の換気扇は、室内空気取入開口部および室内空気排出開口部を有する本体ケースと、本体ケース内に配置された送風機と、送風機の風量を制御する送風制御部と、を有する本体ユニットと、室内環境検出センサーと、室内環境検出センサーの検出動作を制御するモジュール制御部と、を有するセンサーモジュールと、を備え、本体ユニットは、センサーモジュールを別のセンサーモジュールと交換可能に装着して送風制御部と接続するモジュール取り付け部を備え、モジュール制御部は、室内環境検出センサーによる検出結果に基づく検出情報を送風制御部に出力し、送風制御部は、入力された検出情報に基づいて送風機の風量を制御する、ようにしたものである。
【０００７】
また、本発明の一の態様の換気システムは、同一建屋内に設置される少なくとも２台の上記態様の換気扇を備え、建屋内の換気風量を一定に保つ換気システムであって、それぞれの換気扇は、装着されたセンサーモジュールより入力された検出情報に基づいて決定された自己の風量情報を他の換気扇へ送信する情報送信部と、他の換気扇の風量情報を受信する情報受信部と、自己の送風機の風量情報と、情報受信部にて受信した他の換気扇の風量情報との合計風量を、予め設定された建屋内の総換気風量の情報と比較し、総換気風量を保つよう自己の送風機の風量を決定する風量決定手段と、を備える、ようにしたものである。
【発明の効果】
【０００８】
本発明によれば、換気扇や換気システムにおいて、生産や管理コストの低減を図ることができる。
【図面の簡単な説明】
【０００９】
【図１】本発明の実施の形態１の換気扇の設置例を示す一部切欠斜視図
【図２】実施の形態１の換気扇の分解斜視図
【図３】実施の形態１の換気扇の制御ブロック図
【図４】実施の形態１の換気扇の動作フローチャート
【図５】本発明の実施の形態２の換気扇の設置例を示す一部切欠斜視図
【図６】実施の形態２の換気扇の分解斜視図
【図７】実施の形態２の換気扇の分解斜視図
【図８】実施の形態２の換気扇の制御ブロック図
【図９】実施の形態２の換気扇の化粧板の他の例を示す斜視図
【図１０】実施の形態２の換気扇の化粧板のさらに他の例を示す斜視図
【図１１】実施の形態２の換気扇のリモコンの斜視図
【図１２】実施の形態２の換気扇のリモコンの蓋を開けた状態を示す斜視図
【図１３】実施の形態２の換気扇の動作フローチャート
【図１４】実施の形態２の換気扇の動作フローチャート
【図１５】本発明の実施の形態３の換気扇の設置例を示す一部切欠斜視図
【図１６】実施の形態３の換気扇の構成を示す分解斜視図
【図１７】実施の形態３の換気扇の構成を示す概略ブロック図
【図１８】本発明の実施の形態４の換気扇の設置例を示す一部切欠斜視図
【図１９】実施の形態４の換気扇の構成を示す分解斜視図
【図２０】実施の形態４の換気扇の構成を示す概略ブロック図
【図２１】実施の形態４の換気扇の構成における位置関係を示す構成図
【図２２】本発明の実施の形態５の換気システムが備える換気扇の設置例を示す一部切欠斜視図
【図２３】実施の形態５の換気扇の分解斜視図
【図２４】実施の形態５の換気扇が備える床面積設定部を示す図（（ａ）外観図、（ｂ）床面積と風量の相関図）
【図２５】実施の形態５の換気システムの制御ブロック図
【図２６】実施の形態５の換気システムの制御フローチャート
【図２７】本発明の実施の形態６の換気システムが備える換気扇の分解斜視図
【図２８】実施の形態６の換気システムの制御ブロック図
【図２９】実施の形態６の換気システムの制御フローチャート
【図３０】実施の形態６の変形例にかかる換気システムの制御ブロック図
【発明を実施するための形態】
【００１０】
第１の発明の換気扇は、室内空気取入開口部および室内空気排出開口部を有する本体ケースと、本体ケース内に配置された送風機と、送風機の風量を制御する送風制御部と、を有する本体ユニットと、室内環境検出センサーと、室内環境検出センサーの検出動作を制御するモジュール制御部と、を有するセンサーモジュールと、を備え、本体ユニットは、センサーモジュールを別のセンサーモジュールと交換可能に装着して送風制御部と接続するモジュール取り付け部を備え、モジュール制御部は、室内環境検出センサーによる検出結果に基づく検出情報を送風制御部に出力し、送風制御部は、入力された検出情報に基づいて送風機の風量を制御する、ようにしたものである。
【００１１】
このような構成とすることにより、本体ユニットとセンサーモジュールとを切り離して、本体ユニットを共通した仕様とすることができ、室内環境に応じて求められる室内環境検出センサーを搭載したセンサーモジュールを別のセンサーモジュールと交換可能に本体ユニットに装着することができる。よって、室内環境検出センサーを装備した換気扇において、生産や管理コストの低減を図ることができる。
【００１２】
第２の発明は、第１の発明の換気扇において、モジュール制御部は、室内環境検出センサーの識別情報を送風制御部に出力し、送風制御部は、入力された識別情報および検出情報に基づいて、送風機の風量を制御する、ようにしたものである。
【００１３】
このような構成とすることにより、本体ユニットに装着されたセンサーモジュールの種類を送風制御部において識別することができ、送風制御部にて装着されたセンサーモジュールに応じた送風制御を行うことができる。
【００１４】
第３の発明は、第１または第２の発明の換気扇において、モジュール取り付け部は、複数のセンサーモジュールを同時に装着可能であり、送風制御部は、複数のセンサーモジュールから入力される互いに異なる検出情報に基づいて、予め設定されたアルゴリズムを用いて送風機の風量を演算する演算部を有する、ようにしたものである。これにより、送風制御部において、複数のセンサーモジュールから入力される情報に基づいた送風制御を実現できる。また、センサーモジュールの種別による入力された情報の重み付けをつけるなど、室内環境検出センサーの特徴を考慮した送風制御を実現できる。
【００１５】
第４の発明は、第１から第４のいずれか１つの発明の換気扇において、モジュール制御部は、室内環境検出センサーの種別または検出結果に基づく送風機の風量情報を決定して、決定した風量情報を検出情報として送風制御部に出力する、ようにしたものである。モジュール制御部が送風機の風量情報を決定して本体ユニットの送風制御部に対して出力することにより、様々な種別の室内環境検出センサーに対応できる送風制御部の仕様を共通かつ簡単な構成とすることができる。
【００１６】
第５の発明は、第１から第４のいずれか１つの発明の換気扇において、１つのセンサーモジュールにおけるモジュール取り付け部への装着部分が、別のセンサーモジュールにおける装着部分と共通する形状を有する、ようにしたものである。これにより、センサーモジュールを別のセンサーモジュールに容易に交換可能とできる。
【００１７】
第６の発明は、第１から第５のいずれか１つの発明の換気扇において、センサーモジュールは、室内環境検出センサーとして、人感センサー、温度センサー、湿度センサー、照度センサー、一酸化炭素センサー、および二酸化炭素センサーのいずれか１つを備える、ようにしたものである。これにより、様々な機能を有する換気扇を提供できる。
【００１８】
第７の発明は、同一建屋内に設置される少なくとも２台の第１から第６のいずれか１つの発明の換気扇を備え、建屋内の換気風量を一定に保つ換気システムであって、それぞれの換気扇は、装着されたセンサーモジュールより入力された検出情報に基づいて決定された自己の風量情報を他の換気扇へ送信する情報送信部と、他の換気扇の風量情報を受信する情報受信部と、自己の送風機の風量情報と、情報受信部にて受信した他の換気扇の風量情報との合計風量を、予め設定された建屋内の総換気風量の情報と比較し、総換気風量を保つよう自己の送風機の風量を決定する風量決定手段と、を備える、ようにしたものである。これにより、同一建屋内に複数台の換気扇が設置された換気システムにおいて、建屋全体の必要換気風量を最適に保つことができ、換気風量過多によるエネルギーロスを低減できる。
【００１９】
第８の発明は、第７の発明の換気システムにおいて、それぞれの換気扇において、情報送信部および情報受信部を有する通信モジュールが、モジュール取り付け部に装着される、ようにしたものである。これにより、センサーモジュールと通信モジュールとを組み合わせて本体ユニットに装着して、他の換気扇との間の通信を可能としながら室内環境に応じた仕様の換気扇を提供できる。
【００２０】
以下、本発明の実施の形態について、図面を参照しながら説明する。なお、この実施の形態によって本発明が限定されるものではない。
【００２１】
（実施の形態１）
本発明の実施の形態１にかかる換気扇の設置例を示す一部切欠斜視図を図１に示し、換気扇の分解斜視図を図２に示す。
【００２２】
図１および図２に示すように、換気扇５０は、箱形の本体ケース１と、本体ケース１の内部に設置された送風機１ａとを有し、天井板４の上面に設置された本体ユニット５１を備える。本体ケース１において、下面には室内空気取入開口部２が設けられ、側面（または上面であっても良い）には室内空気排出開口部３が設けられている。
【００２３】
図１に示すように、本体ケース１は天井板４の上面に設置されており、天井板４には、室内空気取入開口部２と略同じ大きさの開口部（図示せず）が設けられている。また、本体ケース１の室内空気排出開口部３にはダクト５の一端が接続され、さらにダクト５の他端は室外へと延長されている。
【００２４】
天井板４の下面から室内空気取入開口部２を覆うように、化粧板６が着脱自在に取り付けられている。化粧板６の本体ケース１への取り付けについては、よく知られた構造が採用される。例えば、化粧板６に取り付けバネ７を設け、本体ケース１の取り付け部８に取り付けバネ７を装着することで、化粧板６が本体ケース１に取り付けられる。
【００２５】
化粧板６は、本体ケース１の室内空気取入開口部２よりも大きく形成されており、天井板４の開口部（図示せず）、および室内空気取入開口部２を、天井板４の下面側から覆い、美的感覚を高めるものである。
【００２６】
また、化粧板６には、通気孔９とモジュール取り付け孔１０が設けられている。通気孔９は、本体ケース１の室内空気取入開口部２を室内空間に連通し、室内空気を通過させるための孔である。モジュール取り付け孔１０は、後述するように、室内環境検出センサーを搭載したセンサーモジュールが取り付けられる孔である。本実施の形態１の換気扇５０では、室内環境検出センサーとして人感センサーを搭載した人感センサーモジュール３６ａと、照明（照度）センサーを搭載した照明センサーモジュール３６ｂと、湿度センサーを搭載した湿度センサーモジュール３６ｃとの中から、選択された人感センサーモジュール３６ａと照明センサーモジュール３６ｂとがモジュール取り付け孔１０に取り付けられる。
【００２７】
また、本体ユニット５１には、２個のセンサーモジュール３６ａ、３６ｂをコネクターにより接続して取り付けるモジュール取り付け台３７が設けられている。このモジュール取り付け台３７は、本体ユニット５１に設けられた送風機１ａの運転を制御する送風制御部に電気的に接続されている。なお、モジュール取り付け台３７にセンサーモジュール３６ａ、３６ｂが取り付けられることにより、センサーモジュール３６ａ、３６ｂが化粧板６のモジュール取り付け孔１０に取り付けられる。
【００２８】
ここで、換気扇５０の制御ブロック図を図３に示し、換気扇５０の制御構成について説明する。
【００２９】
図３に示すように、本体ユニット５１には、送風機１ａの運転を制御する送風制御部１４と、送風制御部１４および送風機１ａが接続された電源装置１５とが備えられている。送風制御部１４および電源装置１５は、例えば本体ケース１内に設けられている。
【００３０】
モジュール取り付け台３７は、センサーモジュール３６（３６ａ、３６ｂ）を接続するための２つのコネクター１６ａ、１６ｂを備える。これらのコネクター１６ａ、１６ｂは、電源装置１５および送風制御部１４に接続されており、コネクター１６ａ、１６ｂを介して、電源装置１５からセンサーモジュール３６への電源供給が行われるとともに、センサーモジュール３６から送風制御部１４へ情報が入力される。
【００３１】
送風制御部１４には、センサーモジュール３６から入力される情報（検出情報）に基づいて、予め設定されたアルゴリズム（制御ロジック）を用いて送風機１ａの送風風量を演算して決定する比較演算部３５（演算部）が備えられている。この比較演算部３５が用いるアルゴリズムの詳細については後述する。
【００３２】
人感センサーモジュール３６ａは、人感センサー１１ａと、人感センサー１１ａの検出動作を制御するモジュール制御部１２ａと、人感センサー１１ａの感度を設定する感度設定部３２ａと、モジュール制御部１２ａに接続されたコネクター３８ａとを備える。
【００３３】
人感センサー１１ａは、室内の人の有無を検知する機能を有しており、例えば、人の発する赤外線を検出して電圧に変換し、電圧の変化に基づいて人の有無を検出する。このような人感センサー１１ａは、一般的には焦電型センサーと呼ばれている。なお、人感センサー１１ａは、室内の人の有無を検知する機能を有していれば良く、その他の形式のセンサーを用いても良い。
【００３４】
感度設定部３２ａは、人感センサー１１ａの感度レベルを設定するためのものであり、例えば、スライドスイッチや可変抵抗器などで構成しても良い。
【００３５】
モジュール制御部１２ａは、人感センサー１１ａよりの検出信号と、感度設定部３２ａにて設定された感度設定レベルとに基づき、送風機１ａにて動作すべき風量を決定し、決定した風量情報を検出情報として送風制御部１４に出力する。また、モジュール制御部１２ａは、室内環境検出センサーの識別情報、すなわち人感センサーであるという識別情報を送風制御部１４に出力する機能を有している。
【００３６】
照明センサーモジュール３６ｂは、照明センサー１１ｂと、照明センサー１１ｂの検出動作を制御するモジュール制御部１２ｂと、照明センサー１１ｂの感度を設定する感度設定部３２ｂと、モジュール制御部１２ｂに接続されたコネクター３８ｂとを備える。さらに、照明センサーモジュール３６ｂは、ナイトライト３３と、ナイトライト３３を点灯させる照明駆動部３４とを備える。
【００３７】
照明センサー１１ｂは、室内の明るさ（照度）を検知する機能を有しており、例えば、光量を電圧に変換するものが用いられる。感度設定部３２ｂは、照明センサー１１ｂの感度レベルを設定するためのものである。
【００３８】
モジュール制御部１２ｂは、照明センサー１１ｂよりの検出信号と、感度設定部３２ｂにて設定された感度設定レベルとに基づき、照明駆動部３４を介してナイトライト３３の点灯を制御する。また、照明センサー１１ｂによる検出結果と、送風機１ａにて動作すべき風量情報とを検出情報として送風制御部１４に出力する。さらに、モジュール制御部１２ｂは、室内環境検出センサーの識別情報、すなわち照明センサーであるという識別情報を送風制御部１４に出力する機能を有している。
【００３９】
湿度センサーモジュール３６ｃは、湿度センサー１１ｃと、湿度センサー１１ｃの検出動作を制御するモジュール制御部１２ｃと、湿度センサー１１ｃの感度を設定する感度設定部３２ｃと、モジュール制御部１２ｃに接続されたコネクター３８ｃとを備える。
【００４０】
湿度センサー１１ｃは、室内の湿度を検知する機能を有しており、例えば、湿度の変化を電圧に変換するものが用いられ、抵抗変化型や静電容量変化型などの形式のセンサーが用いられる。感度設定部３２ｃは、湿度センサー１１ｃの感度レベルを設定するためのものである。
【００４１】
モジュール制御部１２ｃは、湿度センサー１１ｃよりの検出信号と、感度設定部３２ｃにて設定された感度設定レベルとに基づき、送風機１ａにて動作すべき風量を決定し、決定した風量情報を検出情報として送風制御部１４に出力する。また、モジュール制御部１２ｃは、室内環境検出センサーの識別情報、すなわち湿度センサーであるという識別情報を送風制御部１４に出力する機能を有している。
【００４２】
また、それぞれのセンサーモジュール３６ａ〜３６ｃが有するコネクター３８ａ〜３８ｃは、モジュール取り付け台３７のコネクター１６ａ、１６ｂと接続可能なように共通した形態を有している。そのため、モジュール取り付け台３７のコネクター１６ａ、１６ｂには、複数の室内環境検出センサーモジュールより選択された任意のセンサーモジュールを接続することができる。また、一度接続されたセンサーモジュールの接続を解除して、別のセンサーモジュールを接続することもできる。
【００４３】
本実施の形態１では、これらの室内環境検出センサーモジュールの中から選択された人感センサーモジュール３６ａと照明センサーモジュール３６ｂとがモジュール取り付け台３７に装着された場合を一例としているが、他のセンサーモジュールが装着される場合であっても良い。
【００４４】
次に、換気扇５０の運転動作について、図４に示す動作フローチャートを用いて説明する。
【００４５】
図４に示すように、換気扇５０の本体ユニット５１に対して、人感センサーモジュール３６ａと照明センサーモジュール３６ｂとがコネクター接続された状態（Ｓ１）にて、換気扇５０の電源装置１５にて電源ＯＮとされる。
【００４６】
人感センサーモジュール３６ａでは、モジュール制御部１２ａにおいて、感度設定部３２ａの感度設定値が認識され（Ｓ１１）、人感センサー１１ａの検出動作が開始される（Ｓ１２）。モジュール制御部１２ａにて、感度設定値および人感センサー１１ａからの検出信号に基づいて、室内に人が存在すると判断した場合には、送風機１ａにて動作すべき風量をＨｉ−風量（強風量）として決定する（Ｓ１４）。一方、室内に人が存在しないと判断した場合には、送風機１ａにて動作すべき風量をＬｏ−風量（弱風量）として決定する（Ｓ１３）。モジュール制御部１２ａは、この決定した風量情報を送風制御部１４へ出力（送信）するとともに（Ｓ１５）、人感センサー１１ａの識別情報を送風制御部１４へ出力（送信）する（Ｓ１６）。
【００４７】
照明センサーモジュール３６ｂでは、モジュール制御部１２ｂにおいて、感度設定部３２ｂの感度設定値が認識され（Ｓ２１）、照明センサー１１ｂの検出動作が開始される（Ｓ２２）。モジュール制御部１２ｂにて、感度設定値および照明センサー１１ｂからの検出信号に基づいて、室内の照度が低い（暗い）と判断した場合には、照明駆動部３４によりナイトライト３３を点灯させる（Ｓ２４）。一方、室内の照度が高い（明るい）と判断した場合には、照明駆動部３４によりナイトライト３３を消灯させる（Ｓ２３）。これら照度の検出情報とともに、送風機１ａにて動作すべき風量をＬｏ−風量（弱風量）として送風制御部１４へ出力（送信）するとともに（Ｓ２５）、照明センサー１１ｂの識別情報を送風制御部１４へ出力（送信）する（Ｓ２６）。
【００４８】
次に、送風制御部１４の比較演算部３５では、予め設定されたアルゴリズムを用いて、それぞれのセンサーモジュール３６ａ、３６ｂから入力された情報の処理を行う。具体的には、センサーモジュールから入力されたセンサー識別情報に基づいて、照明センサーモジュール３６ｂが接続されているかどうかを判断する（Ｓ３１）。本実施の形態１のように照明センサーモジュール３６ｂが接続されている場合には、入力された照度情報（検出情報）を参照して、室内の照度の高低（明暗）が判断される（Ｓ３２）。室内の照度が低い（暗い）との情報が入力されている場合には、送風機１ａの風量をＬｏ−風量（弱風量）と決定する（Ｓ３５）。一方、室内の照度が高い（明るい）との情報が入力されている場合には、人感センサーモジュール３６ａから入力された風量情報と、照明センサーモジュール３６ｂから入力された風量情報とを比較して（Ｓ３３）、大きい風量情報を優先するように送風機１ａの風量を決定する（Ｓ３４）。なお、照明センサーモジュール３６ｂが接続されていないと判断された場合（Ｓ３１）には、入力された風量情報の比較が行われて（Ｓ３３）、大きい風量情報を優先するように送風機１ａの風量が決定される（Ｓ３４）。
【００４９】
送風制御部１４は、このように決定された風量に基づいて、送風機１ａの運転指示（速度指示）を行い（Ｓ４１）、送風機１ａを決定された風量にて運転させる（Ｓ４２）。
【００５０】
また、送風機１ａの運転駆動中においても、これらのステップによる制御動作（Ｓ１〜Ｓ４２）が繰り返されて、それぞれのセンサーモジュール３６ａ、３６ｂの検出情報に基づいて、送風制御部１４にて送風機１ａの運転制御が行われる。
【００５１】
センサーモジュールは、室内環境検出センサーとして、人感センサー、温度センサー、湿度センサー、照明センサー、一酸化炭素センサー、または二酸化炭素センサーを備えるものが用いられる。図４の動作フローチャートでは、人感センサーモジュール３６ａと照明センサーモジュール３６ｂとが用いられる場合を例としたが、温度、湿度、一酸化炭素、および二酸化炭素の各センサーモジュールについては、人感センサーモジュール３６ａと同様なステップにて制御される。すなわち、これらのセンサーモジュールでは、検出情報に基づいて、送風機１ａの風量をＨｉ−風量またはＬｏ−風量のいずれかに決定される。
【００５２】
ここで、湿度センサーモジュールと照明センサーモジュール３６ｂとが本体ユニット５１に装着され、照明センサー１１ｂにて室内が暗いことを検出し、かつ湿度センサーにて湿度が高いことを検出した場合を考える。この場合、照明センサーモジュール３６ｂからの検出情報よりも湿度センサーモジュールからの検出情報を重視して、送風風量をＨｉ−風量とするように、送風制御部１４におけるアルゴリズムに重み付けの設定を行うようにしても良い。それぞれのセンサーモジュールからセンサー識別情報が送風制御部１４に入力されることにより、送風制御部１４において本体ユニット５１に装着されているセンサーモジュールの種類を識別し、それぞれのセンサーの組み合わせや重み付けに応じたアルゴリズムに基づいた制御を行うことができる。このように、本体ユニット５１に装着されたセンサーモジュールよりセンサー識別情報を送風制御部１４へ入力することにより、それぞれのセンサーの特徴や組み合わせに応じた制御を行うことが可能となる。
【００５３】
上述の説明では、２個のセンサーモジュール３６がモジュール取り付け台３７に選択的に装着される場合について説明したが、１個のみ装着される場合や３個以上が装着される場合であっても良い。
【００５４】
また、送風機１ａの風量が、Ｈｉ−風量とＬｏ−風量とのいずれかに決定される場合を例としたが、さらに多段階の風量に決定する場合であっても良く、また、無段階に風量を決定する場合であっても良い。
【００５５】
本実施の形態１の換気扇５０によれば、各種センサーモジュール３６が、交換可能に本体ユニット５１に装着可能とされている。特に、センサーモジュール３６において、室内環境検出センサーの検出動作を制御するとともに、送風機１ａにて運転すべき風量を決定して風量情報を、本体ユニット５１の送風制御部１４へ出力するモジュール制御部１２が設けられている。そのため、個々のセンサーに応じた検出動作の制御は、センサーモジュール３６にて行うことができ、送風制御部１４の制御仕様を各種センサーに対して共通したものとすることができる。そのため、本体ユニット５１を共用して、設置環境や求められる機能に応じてセンサーモジュール３６を選択的に本体ユニット５１へ装着することができる。よって、換気扇において、生産や管理コストの低減を図ることができる。
【００５６】
（実施の形態２）
次に、本発明の実施の形態２にかかる換気扇について図面を用いて説明する。
【００５７】
図５〜図７において、本実施の形態２の換気扇が備える箱形の本体ケース６１は、下面に室内空気取入開口部６２、側面（または上面）に室内空気排出開口部６３を有し、内部には送風機６１ａが設けられている。
【００５８】
本体ケース６１は図５に示すように、天井板６４の上面に設置されるもので、天井板６４には、室内空気取入開口部６２と略同じ大きさの開口部（図示せず）が設けられている。
【００５９】
また、本体ケース６１の室内空気排出開口部６３にはダクト６５の一端が接続され、さらにダクト６５の他端は室外へと延長されている。
【００６０】
本体ケース６１は図５に示すように、天井板６４の上面に設置され、その状態で、天井板６４の下面から、室内空気取入開口部６２を覆うように、化粧板６６が着脱自在に取り付けられている。
【００６１】
化粧板６６の本体ケース６１への取り付けについては、よく知られた構造である。具体的には、化粧板６６の取り付けバネ６７を、本体ケース６１の取り付部６８に装着することで、この作業は簡単に行える。
【００６２】
化粧板６６は、本体ケース６１の室内空気取入開口部６２よりも大きな形状を有している。そのため、天井板６４の開口部（図示せず）、および室内空気取入開口部６２を、天井板６４の下面側から覆い、美的感覚を高めることができる。
【００６３】
また、化粧板６６には、通気孔６９とセンサー取り付け孔７０が設けられ、センサー取り付け孔７０には、人感センサー（室内環境検出センサーの一例）７１が設置されている。
【００６４】
人感センサー７１は、図８に示すように、制御部７２に接続され、さらに制御部７２には、無線型のリモコン受信部７３と、本体ケース６１内の送風機６１ａ制御用の送風制御部７４が接続されている。
【００６５】
送風制御部７４は送風機６１ａおよび、電源装置７５に接続されている。
【００６６】
なお、電源装置７５は、コネクター７６を介して化粧板６６に設けられた制御部７２にも接続されている。
【００６７】
また、本体ケース６１には、コネクター７６以外にも複数のコネクター７７が用意されている（図面の煩雑化を避けるためにコネクター７７は一つしか記載せず）。
【００６８】
つまり、図５〜図７に示す例では、化粧板６６として人感センサー７１が取り付けられたものを、本体ケース６１の室内空気取入開口部６２に取り付けている。このような場合に代えて、室内環境の違いから、図９に示す化粧板７８、および図１０に示す化粧板７９が、化粧板６６の代りに、本体ケース６１の室内空気取入開口部６２へ取り付けられるような場合であっても良い。
【００６９】
例えば、図９に示す化粧板７８には、通気孔８０と取り付け孔８１が設けられており、取り付け孔８１には、人感センサー（室内環境検出センサーの一例）７１と、照明部８２が設けられる。
【００７０】
そして、このときには、照明部８２には、図９に示すように、コネクター７７を介して電源供給がなされ、また、照明部８２の制御は、照明部８２に接続された制御部７２によって行われるようになっている。
【００７１】
さらに、図１０に示す化粧板７９では、取り付け孔８１を照明部８２の取り付け用とし、新たに、他の室内環境検出センサー８３を設けるための取り付け孔８４を設けたものである。
【００７２】
他の室内環境検出センサー８３とは、例えば、温度センサー、湿度センサー、一酸化炭素センサー、二酸化炭素センサー等のうちの少なくとも一つであり、これらも図８の人感センサー７１と同じく、制御部７２に接続される。
【００７３】
本実施の形態の特徴は、本体ケース６１の室内空気取入開口部６２に、化粧板６６、化粧板７８、または化粧板７９を装着した状態で、それぞれの動作を、図１１、図１２に示す無線型のリモコン（リモート・コントローラ）８５にて行えるようにしていることである。
【００７４】
つまり、本実施の形態においては、換気扇を設置する部屋の環境に応じて、本体ケース６１の室内空気取入開口部６２に、化粧板６６、化粧板７８、または化粧板７９を装着すれば、各環境に応じた換気扇機能を発揮させることが可能となる。
【００７５】
このため、本体ケース６１部分は共用できる仕様として、化粧板を環境に応じたものから選んで取り付けることができ、その結果として、各種コストの低減を図ることが可能となる。
【００７６】
そして、本実施の形態の構成を実現するために、本体ケース６１内の送風機６１ａには送風制御部７４を接続し、また、化粧板６６、７８、または７９の制御部７２には無線型のリモコン受信部７３を接続している。
【００７７】
さらに、制御部７２と送風制御部７４を接続するとともに、制御部７２は、リモコン受信部７３からの受信信号により、制御動作が変更される構成としている。
【００７８】
例えば、送風機６１ａの送風量、または人感センサー（室内環境検出センサーの一例）７１、その他の室内環境検出センサー８３に基づく制御動作も、リモコン８５からの指令により簡単に変更することができる。
【００７９】
このため、各種環境に対応するために、多くの機種を用意する必要が無くなり、その結果として、各種コストの低減を図ることが可能となる。
【００８０】
リモコン８５の基本的な構造は、例えばエアコンなどにより知られている構造と同じように、赤外線信号を発するもの（無線型の一例）であるので、説明の煩雑化を避けるために、簡単に説明を行う。
【００８１】
先ず、リモコン８５の表面には、図１１に示すように、液晶の表示部８６が設けられている。また、表面の表示部８６の下方には、換気機能の入、切を行う操作部８７、照明部８２の入、切を行う操作部８８、夜間照明機能の入、切を行う操作部８９が設けられている。
【００８２】
また、図１２に示すように、表面の蓋９０を開ければ、送風機６１ａの送風量などを設定するための操作部９１が表出するようになっている。
【００８３】
そして、これらの操作部８７、８８、８９の操作を行うと、赤外線信号が発せられ、それが図８のリモコン受信部７３にて受信され、各種設定が行われる。
【００８４】
具体的には、図５〜図７に示すように、本体ケース６１の室内空気取入開口部６２に、化粧板６６が装着された状態では、リモコン８５の操作部８７で換気機能を入状態とし、操作部９１により送風機６１ａの送風量を設定する。
【００８５】
つまり、化粧板６６には、照明部８２が設けられていないので、照明に関する操作部８８、８９の操作は行われない。
【００８６】
一方、本体ケース６１の室内空気取入開口部６２に、図９の化粧板７８、または図１０の化粧板７９が装着された状態では、リモコン８５の操作部８７で換気機能を入状態とし、操作部８８により、照明部８２の入、切設定を行い、操作部８９により夜間照明機能の入、切を行い、その後、操作部９１により送風機６１ａの送風量を設定する。
【００８７】
つまり、図８に示す制御部７２は、リモコン受信部７３からの各種設定指示の受信（図１３のＳ１０１）により、人感センサー（室内環境検出センサーの一例）７１に基づく動作設定を行い（図１３のＳ１０２）、次に、回転数設定（図１４のＳ２０２）の送風量、照明部８２の入、切、夜間照明機能の入、切などが設定され（図１３のＳ１０３）、その後、本体ケース６１内の送風制御部７４に対する送風制御設定を伝達する（図１３のＳ１０４）。
【００８８】
送風制御部７４は、制御部７２からの送風量指示を受け（図１４のＳ２０１）、例えば、Ｌｏ−風量（弱風量）送風時の回転数設定（図１４のＳ２０２）と、Ｈｉ−風量（強風量）送風時の回転数設定（図１４のＳ２０３）を行い、次に、設定状態に合わせた直流電圧を、直流モータも用いた送風機６１ａに供給し（図１４のＳ２０４）、これにて送風機６１ａを回転駆動する（図１４のＳ２０５）。
【００８９】
そして、送風機６１ａが回転駆動されれば、室内空気が化粧板６６、または化粧板７８、または化粧板７９から本体ケース６１内へと取り込まれ、続いて室内空気排出開口部６３から、ダクト６５を介して屋外へと排出され、これにて換気が行われる。
【００９０】
以上のように、本実施の形態２においては、換気扇を設置する部屋の環境に応じて、本体ケース６１の室内空気取入開口部６２に、化粧板６６、化粧板７８、または化粧板７９を装着すれば、各環境に応じた換気扇機能を発揮させることができる。
【００９１】
このため、本体ケース６１部分は共用できるものとなり、その結果として、各種コストの低減を図ることが可能となるのである。
【００９２】
なお、上記実施の形態２では、無線型のリモコン受信部７３を化粧板７８に設けた例を説明したが、このリモコン受信部７３は、本体ケース６１側に設置しても良い。
【００９３】
また、上記実施の形態２では、リモコン受信部７３を無線型としたが、これを有線型としても良い。つまり、この時には、上記リモコン８５も有線型となり、この有線型のリモコン８５と、有線型のリモコン受信部７３がリード線にて接続されることとなる。
【００９４】
もちろん、このような有線型のリモコン受信部７３は、化粧板７８に設けても、本体ケース６１側に設けても良い。
【００９５】
本実施の形態２の換気扇のように、換気扇を設置する部屋の環境に応じて、本体ケース６１の室内空気取入開口部６２に、室内環境検出センサー８３が搭載された化粧板６，１８、１９を選択的に装着することで、各環境に応じた換気扇機能を実現するという考え方は、上述の実施の形態１の換気扇についても適用可能である。例えば、センサーモジュールが搭載された化粧板を、別のセンサーモジュールが搭載された化粧板に交換することで、様々な環境に応じた換気扇機能を実現することができる。
【００９６】
また、本実施の形態２の換気扇が有するリモコン２５による操作は、上述の実施の形態１の換気扇にも適用可能である。例えば、センサーモジュールにおけるモジュール制御部にリモコン受信部７３を設ければ、リモコンとモジュール制御部との間で通信を行うことが可能となる。
【００９７】
（実施の形態３）
次に、本発明の実施の形態３にかかる換気扇について図面を用いて説明する。
【００９８】
図１５〜図１６において、本実施の形態３の換気扇の本体ケース１０１は、下面に室内空気取入開口部１０２、側面（または上面）に室内空気排出開口部１０３を有する箱形の本体ケース１０１で、内部には送風機１０４が設けられている。
【００９９】
この換気扇の本体ケース１０１は、図１５に示すように、天井板１０５の上面に設置される。天井板１０５には、室内空気取入開口部１０２と略同じ大きさの開口部（図示せず）が設けられており、換気扇の本体ケース１０１の室内空気排出開口部１０３にはダクト１０６の一端が接続され、さらにダクト１０６の他端は室外へと延長されている。
【０１００】
また、本体ケース１０１は、図１５に示すように、天井板１０５の上面に設置される。その状態で、天井板１０５の下面から、室内空気取入開口部１０２を覆うように、化粧板１０７が着脱自在に取り付けられている。
【０１０１】
この化粧板１０７の本体ケース１０１への取り付けについては、よく知られた構造が用いられる。簡単に説明すると、図１６に示すように、化粧板１０７の取り付けバネ１０８を、本体ケース１０１の取り付部１０９に装着することで、この作業は簡単に行える。
【０１０２】
化粧板１０７は、本体ケース１０１の室内空気取入開口部１０２よりも大きなものであるので、天井板１０５の開口部（図示せず）や、室内空気取入開口部１０２を、天井板１０５の下面側から覆いながらも通気性を確保し、かつ美的感覚を高めるものである。
【０１０３】
また、化粧板１０７には、同じく図１６に示すように、通気孔１１０と室内環境検出部取り付け孔１１１が設けられ、室内環境検出部取り付け孔１１１には、少なくともひとつ以上のセンサーから構成される室内環境検出部１１２（例えば、人感センサー）が設置される。
【０１０４】
本体ケース１０１内には、同じく図１６に示すように、非接触にして化粧板１０７側へ電力を供給するとともに送風機１０４の制御動作信号を化粧板１０７側から受信する非接触電力電送部１１３を備えている。
【０１０５】
そして化粧板１０７には、非接触電力電送部１１３と対向する位置に配置し、非接触電力電送部１１３から電力を受電するとともに非接触電力電送部１１３へ送風機１０４の制御動作信号を送信する化粧板非接触電力電送部１１４を備えている。
【０１０６】
また、化粧板１０７には、化粧板非接触電力電送部１１４に接続して電力の供給を受けて動作する制御装置１１５を備えている。
【０１０７】
図１７に示すように、非接触電力電送部１１３は、本体ケース１０１内に設けられた商用電源を整流平滑して所望の電圧を生成する電源部１１６からの電力供給を受け、化粧板１０７側へ電力を供給する電力送電手段１１７と、送風機１０４の制御動作信号を化粧板１０７側から受信する受信手段１１８とから構成している。
【０１０８】
そして、受信手段１１８は、化粧板１０７側から受信した送風機１０４の制御動作信号に基づいて送風機１０４の制御を行う送風制御部１１９へ接続されている。
【０１０９】
なお、電力送電手段１１７は、例えば、対向させたコイル間へ磁界による誘導電流で電力送電する電磁誘導コイルで構成したものであり、受信手段１１８は、例えば、対向させたコイル間の磁界による誘導電流で通信信号が伝達される電磁誘導コイルで構成したものである。
【０１１０】
また、非接触電力電送部１１３に対向して設けた化粧板非接触電力電送部１１４は、同じく図１７に示すように、非接触電力電送部１１３の電力送電手段１１７から電力を受電する電力受電手段１２０と受信手段１１８へ制御動作信号を送信する送信手段１２１とから構成されている。
【０１１１】
なお、電力受電手段１２０は、例えば、対向させたコイル間から磁界による誘導電流で電力送電される電磁誘導コイルで構成したものであり、送信手段１２１は、例えば、対向させたコイル間へ磁界による誘導電流で通信信号を伝達する電磁誘導コイルで構成したものである。
【０１１２】
制御装置１１５は、図１７に示すように、室内環境検出部１１２と、室内環境検出部１１２の検出環境をもとに、送風機１０４の動作を決定する動作決定部１２２と、動作決定部１２２の決定した動作に基づいて送信手段１２１へ制御動作信号を出力する制御動作信号生成部１２３を備えている。
【０１１３】
上記構成において、あらかじめ、室内環境検出部１１２は人感センサーで構成したものであるので室内の人を検知していない場合には、室内環境検出部１１２から検出信号を受けた動作決定部１２２は、送風機１０４の風量を室内の空気を入れ替えるのに最小限必要な風量としてＬｏ−風量（例えば、５０ｍ３／ｈ）としている。
【０１１４】
次に、室内に人を検出した場合、室内環境検出部１１２から検出信号を制御装置１１５の動作決定部１２２へ送信し、動作決定部１２２で任意の閾値と比較演算することにより、あらかじめ決められている送風機１０４のＬｏ−風量（例えば、５０ｍ３／ｈ）から、室内に人を検出した場合の送風機１０４の所定の風量としてＨｉ−風量（例えば、１００ｍ３／ｈ）への変更を決定する。
【０１１５】
制御動作信号生成部１２３は、決定された風量に基づいて生成した制御動作信号を化粧板非接触電力電送部１１４の送信手段１２１へ出力する。送信手段１２１へ伝達された制御動作信号は、非接触電力電送部１１３の受信手段１１８を介して送風制御部１１９へ伝達され、送風制御部１１９は、送風機１０４の風量をＬｏ−風量からＨｉ−風量へと変更する。
【０１１６】
また、人が非検出となり、所定の時間（例えば、１０分）が経過した後には、動作決定部１２２において送風機１０４にて送風すべき風量（例えば、前回の設定風量（Ｌｏ−風量））を決定し、決定された風量は制御動作信号として化粧板非接触電力電送部１１４から非接触電力電送部１１３を介して送風制御部１１９へ伝達される。これにより、送風制御部１１９は、送風機１０４の風量をＨｉ−風量からＬｏ−風量へと変更する。
【０１１７】
このように本実施の形態３では、非接触電力電送部１１３から化粧板非接触電力電送部１１４へ電力を供給して制御装置１１５を動作させることとなる。
【０１１８】
また、制御装置１１５は、動作決定部１２２にて室内環境検出部１１２によって検出された検出信号から送風機１０４の動作を決定し、制御動作信号生成部１２３にて、動作決定部１２２で決定した動作に対応する制御動作信号を生成することとなる。
【０１１９】
このようにして生成した制御動作信号は、化粧板非接触電力電送部１１４を介して非接触電力電送部１１３へ送信し、送風制御部１１９へ送られることとなる。
【０１２０】
送風制御部１１９は、上述の制御動作信号に基づいて、送風機１０４の制御動作を変更することとなるので、室内環境検出部１１２に基づく制御動作を容易に実現できる。
【０１２１】
すなわち、送風機１０４の動作は、室内環境検出部１１２の検出した室内の検出環境をもとに動作決定部１２２で決定し、変更する構成とすることができる。
【０１２２】
まとめて言うならば、化粧板１０７の制御装置１１５には、本体ケース１０１側の非接触電力電送部１１３から電力受電手段１２０が受電した電力が供給され、動作決定部１２２は、室内環境検出部１１２が検出した室内の環境をもとに送風機１０４の動作を決定することとなり、制御動作信号生成部１２３は決定した送風機１０４の動作に基づき制御動作信号を送信手段１２１に出力することとなる。そして、本体ケース１０１の受信手段１１８で制御動作信号が受信され、送風制御部１１９が送風機１０４を制御することになるので、非接触にて電力と信号の送受を行なうことができる。
【０１２３】
つまり、有線接続する必要がなく、有線接続の配線により生じていた種々の問題、すなわち、送風機１０４の通風路障害による風量損失および風切音を低減させることができる。それとともに、化粧板１０７のセンサーに接続される電源供給用および通信信号用配線が必要なくなるため、掃除やメンテナンス時の利便性が向上する。
【０１２４】
本実施の形態３の換気扇のように、本体ケース１０１に設置された非接触電力電送部１１３と、化粧板１０７に設置された化粧板非接触電力電送部１１４との間で、非接触状態にて電力の供給および制御動作信号の送信を行うという考え方は、上述の実施の形態１の換気扇についても適用可能である。例えば、センサーモジュールに非接触電力電送部を設け、本体ユニット側に非接触電力電送部を設けて、センサーモジュールが本体ユニットの送風制御部に有線接続されていないような形態にて、電力供給および制御動作信号の送信を行うようにしても良い。このような構成では、センサーモジュールへの電源供給用および通信信号用配線が必要なくなるため、掃除やメンテナンス時の利便性が向上するとともに、センサーモジュールの交換作業も容易となる。
【０１２５】
（実施の形態４）
次に、本発明の実施の形態４にかかる換気扇について図面を用いて説明する。
【０１２６】
図１８〜図１９において、本実施の形態４の換気扇の本体ケース２０１は、下面に正方形の室内空気取入口２０２、側面（または上面）に室内空気排出口２０３を有する箱形の本体ケース２０１で、内部には送風機２０４が設けられている。
【０１２７】
この換気扇の本体ケース２０１は図１８に示すように、天井板２０５の上面に設置される。天井板２０５には、室内空気取入口２０２と同じ大きさの開口部（図示せず）が設けられている。換気扇の本体ケース２０１の室内空気排出口２０３にはダクト２０６の一端が接続され、さらにダクト２０６の他端は室外へと延長されている。
【０１２８】
また、本体ケース２０１は、図１８に示すように、天井板２０５の上面に設置され、その状態で、天井板２０５の下面から、室内空気取入口２０２を覆うように、化粧板２０７が取り付けられている。
【０１２９】
天井に設ける開口部の施工の容易性を考慮して、室内空気取入口２０２の形状は正方形にするものである。
【０１３０】
化粧板２０７は、本体ケース２０１の室内空気取入口２０２よりも大きなものである。そのため、天井板２０５の開口部（図示せず）や室内空気取入口２０２を、天井板２０５の下面側から覆いながらも通気性を確保し、かつ美的感覚を高めることができる。
【０１３１】
化粧板２０７は、室内空気取入口２０２の形状に合わせて正方形に形成れており、中心を本体ケースの中心に合わせて、取り外し自在にして複数方向に配置することができる。
【０１３２】
化粧板２０７の本体ケース２０１への取り付けについては、よく知られた構造が用いられる。具体的には、図１９に示すように、化粧板２０７の対向する２辺に取り付けバネ２０８が配置されており、化粧板２０７に設けた二つの取り付けバネ２０８を、本体ケース２０１の取り付部２０９に装着することで、この作業は簡単に行える。
【０１３３】
また、化粧板２０７には、図１９に示すように、通気孔２１０と室内環境検出部取り付け孔２１１が設けられている。
【０１３４】
通気孔２１０は、化粧板２０７の中心部に配置し、室内環境検出部取り付け孔２１１は化粧板２０７の角部に設けている。
【０１３５】
室内環境検出部取り付け孔２１１には、少なくともひとつ以上のセンサーを備える室内環境検出部２１２（例えば、人感センサー）が設置される。
【０１３６】
なお、取り付部２０９は、図１９に示すように、室内空気取入口２０２の各辺に沿って４箇所に配置されており、取り付けバネ２０８と取り付部２０９の取り付け位置を９０度ずつ回転させることで、化粧板２０７と本体ケース２０１の取り付け方向を複数方向に配置することが可能となる。
【０１３７】
取り付けバネ２０８は、図２１に示すように、化粧板２０７中心からの距離Ｙの位置に配置している。
【０１３８】
また、取り付けバネ２０８と取り付部２０９の構成は、例えば本体ケース２０１および化粧板２０７にツメを設け、引っ掛ける構造とすることでも実現可能である。
【０１３９】
また、室内空気取入口２０２と化粧板２０７の形状を点対称な形状（例えば、円形や正多角形など）とすることで、化粧板２０７の配置方向を増やすことが可能である。
【０１４０】
本体ケース２０１内には、図１９に示すように、商用電源を整流平滑して所望の電圧を生成する電源部２１３と、本体ケース２０１の中心から側面方向へ所定の距離Ｘに本体側非接触電力送受信部２１５を配置している。
【０１４１】
本体側非接触電力送受信部２１５は、電源部２１３からの電力供給を受け、非接触にして化粧板２０７側へ電力を供給するとともに、送風機２０４の制御動作信号を化粧板２０７側から受信する本体側コイル部２１４を備えたものである。
【０１４２】
特に、本体側非接触電力送受信部２１５のなかで本体側コイル部２１４を、図２１に示すように、本体ケース２０１の中心から側面方向へ所定の距離Ｘの位置に配置することが望ましい。
【０１４３】
また、図２０に示すように、本体側非接触電力送受信部２１５は、化粧板側非接触電力送受信部２１７から受けた送風機２０４の制御動作信号に基づいて送風機２０４の制御を行う送風制御部２１９へ接続されている。
【０１４４】
そして化粧板２０７には、化粧板側非接触電力送受信部２１７と、化粧板側非接触電力送受信部２１７に接続し電力の供給を受けて動作する制御装置２１８を備えている。
【０１４５】
化粧板側非接触電力送受信部２１７は、本体側非接触電力送受信部２１５から電力を受電するとともに本体側非接触電力送受信部２１５へ送風機２０４の制御動作信号を送信する化粧板側コイル部２１６を備えたものである。
【０１４６】
化粧板側コイル部２１６は、図２１に示すように化粧板２０７の中心から所定の距離Ｘの位置を通過するようにして化粧板２０７の各辺に並行に沿わせて環状に配置している。
【０１４７】
すなわち、化粧板側コイル部２１６は、化粧板２０７の形状に相似な四角形の形状を有して周回したものである。これにより、図２１に示すように、本体側非接触電力送受信部２１５または本体側コイル部２１４が化粧板側コイル部２１６上方に配置される。
【０１４８】
また、所定の距離Ｘは、取り付けバネ２０８の位置である化粧板２０７の中心からの距離Ｙよりも小さくすることが望ましい。
【０１４９】
つまり、取り付けバネ２０８の設置箇所よりも内側に本体側コイル部２１４および本体側非接触電力送受信部２１５を配置する構成とする。なお、化粧板側コイル部２１６は、本体側非接触電力送受信部２１５に備えているので同様に取り付けバネ２０８の設置箇所よりも内側に配置することとなる。
【０１５０】
制御装置２１８は、図２０に示すように、室内環境検出部２１２と、動作決定部２２０と、制御動作信号生成部２２１を備えている。
【０１５１】
動作決定部２２０は、室内環境検出部２１２の検出環境をもとに、送風機２０４の動作を決定するものである。
【０１５２】
また、制御動作信号生成部２２１は、動作決定部２２０の決定した動作に基づいて化粧板側非接触電力送受信部２１７へ制御動作信号を出力するものである。
【０１５３】
なお、本体側非接触電力送受信部２１５は、例えば、本体側コイル部２１４と直列に設置されたコンデンサによって構成された共振器を磁界共鳴させて電力を伝送する機能を有している。同様に化粧板側非接触電力送受信部２１７も、例えば、化粧板側コイル部２１６と直列に設置されたコンデンサによって構成された共振器を磁界共鳴させて電力を伝送する機能を有している。
【０１５４】
このように、共振器を磁界共鳴させて電力を伝送する構成としたものであるので、本体側非接触電力送受信部２１５または本体側コイル部２１４は、その投影面が化粧板側コイル部２１６に重なれば電力の伝達、および信号の送受信を行うことが可能となる。
【０１５５】
本実施の形態４では、化粧板側コイル部２１６は化粧板２０７の形状に相似な四角形の形状として周回して配置されているため、本体側コイル部２１４よりもはるかに広い範囲に配置されている。
【０１５６】
上記構成において、本体側非接触電力送受信部２１５から化粧板側非接触電力送受信部２１７へ電力を供給して制御装置２１８を動作させる。
【０１５７】
制御装置２１８内の動作決定部２２０は、任意の閾値を持っており、室内環境検出部２１２の検知信号と任意の閾値とを比較演算することで、あらかじめ決められている送風機２０４の動作風量に対応付け動作信号を発信する。そして、その動作信号を制御動作信号生成部２２１に送る。
【０１５８】
例えば、室内環境検出部２１２の検知信号が閾値未満であれば送風機２０４の風量としてＬｏ−風量（例えば、３０ｍ３／ｈ）の動作信号を発信し、室内環境検出部２１２の検知信号が閾値以上であればＨｉ−風量（例えば、５０ｍ３／ｈ）の動作信号を発信する。
【０１５９】
このように、制御装置２１８は、動作決定部２２０にて室内環境検出部２１２によって検出された検出信号から送風機２０４の動作（送風すべき風量）を決定し、制御動作信号生成部２２１にて、動作決定部２２０で決定した動作に対応する制御動作信号を生成する。
【０１６０】
このようにして生成した制御動作信号は、化粧板側非接触電力送受信部２１７を介して本体側非接触電力送受信部２１５へ送信し、送風制御部２１９へ送られることとなる。
【０１６１】
送風制御部２１９は、上述の制御動作信号に基づいて、送風機２０４の制御動作を変更するため、室内環境検出部２１２に基づいて送風機２０４の動作制御を容易に実現できる。
【０１６２】
以上をまとめると、化粧板２０７の制御装置２１８には、本体側非接触電力送受信部２１５から化粧板側非接触電力送受信部２１７が受電した電力が供給され、動作決定部２２０が動作をする。
【０１６３】
動作決定部２２０は、室内環境検出部２１２が検出した室内の環境をもとに送風機２０４の動作（送風すべき風量）を決定する。
【０１６４】
制御動作信号生成部２２１は、動作決定部２２０が決定した送風機２０４の動作に基づき制御動作信号を化粧板側非接触電力送受信部２１７に出力する。
【０１６５】
そして、本体側非接触電力送受信部２１５で上述の制御動作信号が受信され、送風制御部２１９が送風機２０４を制御するため、非接触にて電力と信号の送受信を行なうことができ、本体ケース２０１と化粧板２０７間のリード線をなくすことができる。
【０１６６】
次に、本実施の形態４の特徴である本体側コイル部２１４と化粧板側コイル部２１６と制御装置２１８の位置関係に基づいて説明をする。
【０１６７】
すでに構成を説明しているが、図２１に示すように、本体側コイル部２１４は、本体ケース２０１の中心から側面方向へ所定の距離Ｘの位置に配置している。また、化粧板側コイル部２１６は、化粧板２０７の中心から所定の距離Ｘの位置に化粧板２０７の形状に相似な四角形の形状を有して周回する形状を有している。
【０１６８】
これにより、化粧板側コイル部２１６の一辺上に相当する位置に本体側コイル部２１４が配置されることとなり、化粧板２０７の取り付け方向を変更して化粧板側コイル部２１６の位置が変わるような場合であっても、本体側コイル部２１４と化粧板側コイル部２１６の距離を同一に保つことができる。つまり、化粧板２０７の取り付け方向によらず、化粧板側非接触電力送受信部２１７は本体側非接触電力送受信部２１５から電力および信号を安定して送受信することが可能となる。
【０１６９】
また、化粧板側コイル部２１６または本体側非接触電力送受信部２１５は、取り付けバネ２０８の設置箇所よりも内側に配置している。
【０１７０】
これにより、化粧板２０７を回転させても本体側コイル部２１４および化粧板側コイル部２１６が干渉しないこととなり、化粧板２０７を回転させて取り付け方向を変更することが可能となる。
【０１７１】
また、室内環境検出部２１２は、化粧板２０７の角部に配置しているので取り付けバネ２０８と取り付部２０９に干渉しないようにできる。これにより、化粧板２０７の取り付け方向を変更するだけで、室内環境検出部２１２の検知エリアを調整することが可能となる。
【０１７２】
以上ように、本体ケース２０１と化粧板２０７をリード線で接続する必要がなく、化粧板２０７の取り付け方向を容易に変更することができる。
【０１７３】
また、化粧板２０７の取り付け方向を変更するだけで室内環境検出部２１２の検知エリアを調整することができることとなる。つまり、換気扇が設置される家屋の構造に合わせて化粧板２０７の取り付け方向を変更し、室内環境検出部２１２の検知エリアを最適な位置に変更できるので、利便性の高い換気扇を実現できる。
【０１７４】
本実施の形態４の換気扇のように、本体側コイル部２１４と化粧板側コイル部２１６との配置関係および形態を工夫することにより、化粧板２０７の取り付け方向を変更するだけで化粧板２０７に搭載された室内環境検出部２１２の検知エリアを調整するという考え方は、上述の実施の形態１の換気扇についても適用可能である。例えば、センサーモジュールを化粧板側コイル部に接続されるように化粧板に設置して、化粧板の取り付け方向を変更することで、センサーモジュールが備えるセンサーの検知エリアを調整することができる。また、センサーモジュールを別のセンサーモジュールに交換する場合に、搭載されているセンサーの仕様に適した検知エリアを調整することも可能となる。
【０１７５】
上述のそれぞれの実施の形態の換気扇では、様々な室内環境に対応するために、換気扇として多くの機種を用意する必要が無くなり、その結果として、各種コストの低減を図ることが可能となる。したがって、天井に設置される換気扇としての活用が期待される。
【０１７６】
（実施の形態５）
次に、本発明の実施の形態５にかかる換気システムについて説明する。本実施の形態５の換気システムは、複数台の換気扇が通信ネットワークにより互いに接続され、自己の送風制御を行う際に他の換気扇の送風制御情報を参照して行うものである。
【０１７７】
図２２〜図２３は、本実施の形態５の換気システムが備える１台の換気扇について示している。換気扇の本体ケース３０１は、下面に室内空気取入開口部３０２、側面（または上面）に室内空気排出開口部３０３を有する箱形の本体ケースで、内部には送風機３０４が設けられている。
【０１７８】
この換気扇の本体ケース３０１は、図２２に示すように、天井板３０５の上面に設置されるもので、この天井板３０５には、室内空気取入開口部３０２と略同じ大きさの開口部（図示せず）が設けられている。
【０１７９】
また、換気扇の本体ケース３０１の室内空気排出開口部３０３にはダクト３０６の一端が接続され、さらにダクト３０６の他端は室外へと延長されている。
【０１８０】
本体ケース３０１は、図２２に示すように、天井板３０５の上面に設置される。その状態で、天井板３０５の下面から、室内空気取入開口部３０２を覆うように、スリット状の通気孔３０７を備えた化粧板３０８が着脱自在に取り付けられている。
【０１８１】
この化粧板３０８の本体ケース３０１への取り付けについては、よく知られた構造が用いられる。簡単に説明すると、図２３に示すように、化粧板３０８の取り付けバネ３０９を、本体ケース３０１の取り付部３１０に装着することで、この作業は簡単に行える。化粧板３０８は、本体ケース３０１の室内空気取入開口部３０２よりも大きく形成されている。そのため、天井板３０５の開口部（図示せず）や室内空気取入開口部３０２を天井板３０５の下面側から覆い、美的感覚を高めることができる。
【０１８２】
また、この化粧板３０８を着脱し、使用者が容易に確認でき操作可能な位置に、換気システムが備えるそれぞれの換気扇が設置されている建屋全体の総床面積（複数の部屋の床面積合計）の目安を設定するための床面積設定部３１１が取り付けられている。この床面積設定部３１１は、図２４（ａ）に示すように、建屋の間取り（すなわち、総床面積）を他段階に設定可能なダイヤル式のスイッチを設けてあるが、ダイヤル式のスイッチに限らず、切替設定ができればその他様々な構成のものを用いても良い。
【０１８３】
また、建築業界においては、建物の床面積によって確保しなければならない風量が決まっているのが一般的である。そこで図２４（ｂ）に示すように、間取り（総床面積）に応じて、建屋に必要な総換気風量が定義されている。
【０１８４】
次に、換気システムの制御回路のブロック図について図２５を用いて説明する。
【０１８５】
換気システムが備える制御回路のブロックは、商用電源３１２に接続した電源回路３１３と、電源回路３１３の出力電圧からＦＥＴなどのスイッチング素子の集合体であるドライブＩＣ３１４などを介して接続される三相（Ｕ、Ｖ、Ｗ相）の固定子巻き線を有するＤＣモータなどの送風機３０４と、各種情報処理を行い送風機３０４の回転数を調整する制御部３１５と、制御部３１５に接続され建屋の床面積情報を設定する床面積設定部３１１と、他の換気扇へ情報を伝達する情報送信部３１６と、他の換気扇から情報を取得する情報受信部３１７とを備える。
【０１８６】
制御部３１５は、電源回路３１３の出力電圧であるＤＣ５ＶやＤＣ３Ｖで駆動するものであり、ＣＰＵ（Ｃｅｎｔｒａｌ  Ｐｒｏｃｅｓｓｉｎｇ  Ｕｎｉｔ）で構成される。後述する制御部３１５の動作については、制御部３１５内部のカウンターやＲＡＭ、ＲＯＭが共同するプログラムの形態で実施される。
【０１８７】
また、制御部３１５は、情報送信部３１６および情報受信部３１７を介して、換気扇の風量情報や床面積設定部３１１にて設定された建屋の床面積情報を、他の換気扇へ情報の送受信を行うためのものである。各々の換気扇の情報送信部３１６および情報受信部３１７の接続については、有線式や無線式のどちらでも同様の効果が期待できる。
【０１８８】
また、制御部３１５は、総換気風量判断手段３１８と第１風量決定手段３１９とを備える。
【０１８９】
総換気風量判断手段３１８は、換気扇として第一の換気扇３２０の床面積設定部３１１にて設定された床面積情報と、情報受信部３１７を介して得た他の換気扇として第二の換気扇３２１の床面積設定部３１１にて設定された床面積情報とを比較して、大きい方の床面積情報を建屋の総床面積として認識し、あらかじめＣＰＵ内部に記憶されたこの総床面積に対応する風量情報を引き出し必要な総換気風量とする。
【０１９０】
第１風量決定手段３１９は、第一の換気扇３２０の総換気風量判断手段３１８にて決定した総風量情報と、第二の換気扇３２１の情報を元に自己の風量を決定し、送風機３０４の風量を調整する。
【０１９１】
上記構成の換気システムにおいて、換気扇の風量制御動作について図２６に示すフローチャートを用いて説明する。
【０１９２】
図２６に示すフローチャートは、第一の換気扇３２０と同一建屋内に設置された他の換気扇である第二の換気扇３２１の床面積設定部３１１の設定情報を取得するフロー（ステップＳ３０１）と、総換気風量判断手段３１８を示すフロー（ステップＳ３０２）と、第１風量決定手段３１９を示すフロー（ステップＳ３０３）から構成される。
【０１９３】
ここでは、総床面積７５１ｍ２以上の建屋に、最大風量能力１５０〔ｍ２／ｈ〕の同スペックの換気扇を２台設置した場合の換気システムを想定し、各々の換気扇を第一の換気扇３２０と第二の換気扇３２１として、以下詳細について説明する。
【０１９４】
ステップＳ３０１にて、第一の換気扇２０および第二の換気扇３２１へ電源が供給されると、互いに床面積設定部３１１にて設定された床面積情報を認識する。ここで例えば、第一の換気扇３２０の設定値がＳ１＝７５１〔ｍ２〕〜、第二の換気扇３２１の設定値がＳ２＝４５１〜６００〔ｍ２〕とした場合を考える。この場合、第一の換気扇３２０はＳ１の情報を第二の換気扇３２１へ送信し、第二の換気扇３２１はＳ２の情報を第一の換気扇３２０へ送信することで、双方向通信が完了し、互いの床面積情報、および同一建屋内に２台の換気扇が接続されていることを認識できる。
【０１９５】
次にステップＳ３０２にて、総換気風量判断手段３１８の動作について説明する。総換気風量判断手段３１８はＳ１とＳ２との情報を比較し、大きい方の値、ここではＳ１＝７５１〔ｍ２〕〜の情報を建屋の総床面積情報として認識する。制御部３１５内部には、図２４（ｂ）のテーブルデータが記憶されており、ここでＳ１＝７５１〔ｍ２〕〜に対応する建屋に必要な総換気風量Ｑ＝２５０〔ｍ３／ｈ〕へデータ置換し認識する。
【０１９６】
次にステップＳ３０３にて、第１風量決定手段３１９の動作について説明する。
【０１９７】
第一の換気扇３２０と第二の換気扇３２１の最大風量能力は互いに１５０〔ｍ３／ｈ〕であるので、２台同時に最大能力で運転した場合は、総換気風量＝１５０×２＝３００〔ｍ３／ｈ〕となり、必要な総換気風量Ｑ＝２５０〔ｍ３／ｈ〕に対して、５０〔ｍ３／ｈ〕の風量過多状態となる。
【０１９８】
そこで、ステップＳ３０１にて認識した同一建屋内に２台の換気扇が接続されている情報と、ステップＳ３０２にて認識した建屋に必要な総換気風量Ｑ＝２５０〔ｍ３／ｈ〕の情報をもとに、換気扇１台あたりの風量Ｑ１＝Ｑ／Ｎ＝２５０／２＝１２５〔ｍ３／ｈ〕とする。
【０１９９】
なお、換気扇の本体ケース３０１の室内空気排出開口部３０３にはダクト３０６の一端が接続されており、さらにダクト３０６の他端は室外へと延長されているのが一般的な施工状態であり、ダクト３０６の長さによって圧力損失が増減し、当初定めた所定の風量を確保できない場合がある。
【０２００】
第一の換気扇３２０と第二の換気扇３２１のダクト３０６の長さがほぼ同等で、互いに１２５〔ｍ３／ｈ〕の能力を発揮できれば問題ない。
【０２０１】
しかし、例えば第二の換気扇３２１のダクト３０６が設計許容値以上の長さで施工され、風量ＱＮ＝１１０〔ｍ３／ｈ〕の能力しか発揮できない場合もある。
【０２０２】
このような場合には、ダクト３０６内部に風量を検出するセンサー（図示せず）を備え付け検出する方法や、送風機３０４の電流や回転数の情報を元に検出する方法を用いて自らの風量を検出する手段を設ければよい。
【０２０３】
そして、建屋に必要な総換気風量Ｑ＝２５０〔ｍ３／ｈ〕になるように、第一の換気扇３２０の風量Ｑ１´＝２５０−１１０＝１４０〔ｍ３／ｈ〕に再度調整し、建屋の換気風量を一定に保つように自己の風量を決定することができる。
【０２０４】
また、本実施の形態５の換気システムでは、換気扇を２台用いて説明をしたが、台数が増加した場合も同様の効果が得られる。
【０２０５】
以上のように、本実施の形態５においては、換気システムが備える互いの換気扇同士が互いに情報を取得し合うことで、総換気風量判断手段３１８で得られた情報と、同一建屋内に設置されている換気扇の風量および数量情報とから自己の換気風量を判断し運転する構成としている。これにより、建屋全体の必要な総換気風量に対して、換気扇それぞれの換気能力が過多の環境においても、換気扇同士が主従関係なく自己の風量を減じるように調整できることで、建屋全体の風量を最適に保つことが可能となる。
【０２０６】
（実施の形態６）
本発明の実施の形態６の換気システムの構成について、図２７〜２９を参照しながら説明する。
【０２０７】
なお、上記実施の形態５の換気システムと同一機能を有するものは、同一符号を付して詳細な説明は省略する。
【０２０８】
図２７に示すように、化粧板３０８の通気孔３０７に環境検出部取り付け孔３２２が設けられ、環境検出部取り付け孔３２２には、環境検出部３２３が取り付けられている。環境検出部３２３（すなわち、室内環境検出センサー）は、人感センサー、温度センサー、湿度センサー、一酸化炭素センサー、二酸化炭素センサーの少なくとも一つで構成される。
【０２０９】
また、図２８の換気システムの制御回路のブロック図に示すように、環境検出部３２３は制御部３１５へ接続され、制御部３１５は環境検出部３２３の各種センサー信号の変化を認識する。
【０２１０】
制御部３１５は内部に第２風量決定手段３２４を備え、第２風量決定手段３２４はプログラムの形態で実施され、総換気風量判断手段３１８にて決定した総風量情報と、前述した環境検出部３２３で検出した各種環境変化の情報から新たに自己の風量を決定し、送風機３０４の風量を調整するものである。
【０２１１】
以下、環境検出部３２３の各種センサー信号は、例えば人の有無を検知する人感センサー３２５を備えた一例で説明する。
【０２１２】
上記構成において、本実施の形態６の換気システムの風量制御動作について、図２９に示すフローチャートを用いて説明する。
【０２１３】
ステップＳ３０４にて、第２風量決定手段３２４の動作について説明する。
【０２１４】
建屋に必要な総換気風量Ｑ＝２５０〔ｍ３／ｈ〕の環境下にて、第一の換気扇３２０と第二の換気扇３２１は、第１風量決定手段３１９にて決定された風量Ｑ１´＝１２５〔ｍ３／ｈ〕で運転しているとする。
【０２１５】
ここで第一の換気扇３２０の環境検出部３２３において人感センサー３２５が検知すると、検知信号が制御部３１５へ認識される。
【０２１６】
強制的に汚れた空気を屋外へ排出するために、制御部３１５は送風機３０４の回転数を制御して、第一の換気扇３２０の最大風量能力であるＱ２＝１５０〔ｍ３／ｈ〕へ風量を変更する。このままでは第二の換気扇３２１の風量はＱ１´＝１２５〔ｍ３／ｈ〕のままであるために、総換気風量＝１５０＋１２５＝２７５〔ｍ３／ｈ〕となり、建屋に必要な総換気風量Ｑ＝２５０〔ｍ３／ｈ〕に対して、２５〔ｍ３／ｈ〕の風量過多状態となる。
【０２１７】
そこで、第一の換気扇３２０は変更後の自己の風量Ｑ２＝１５０〔ｍ３／ｈ〕を第二の換気扇３２１へ送信する。第二の換気扇３２１は、環境検出部３２３の検知信号を確認し、非検知状態であれば、第一の換気扇３２０の新たな風量Ｑ２をもとに自らの風量ＱＮ´を算出する。ＱＮ´の算出方法としては、建屋に必要な総換気風量Ｑ＝２５０〔ｍ３／ｈ〕と第一の換気扇３２０の現在の風量Ｑ２＝１５０〔ｍ３／ｈ〕、建屋にＮ台の換気扇が接続されているかの情報をもとに、ＱＮ´＝（Ｑ−Ｑ２）／（Ｎ−２）＝（２５０−１５０）／（２−１）＝１００〔ｍ３／ｈ〕となる。自己の風量をＱＮ´＝１００〔ｍ３／ｈ〕に変更し、第一の換気扇３２０へＱＮ´の変更完了信号を送信する。第一の換気扇３２０は第二の換気扇３２１から返信された風量情報ＱＮ´＝１００〔ｍ３／ｈ〕と、自己の風量Ｑ２＝１５０〔ｍ３／ｈ〕の和が、建屋に必要な総換気風量Ｑ＝２５０〔ｍ３／ｈ〕であることを確認して、最終的に第一の換気扇３２０の風量Ｑ２´＝１５０〔ｍ３／ｈ〕を確定する。人が退出し、人感センサー３２５が非検知となった場合は、ステップＳ３０３に戻り、Ｑ１´＝１２５〔ｍ３／ｈ〕で運転することになる。
【０２１８】
第一の換気扇３２０および第二の換気扇３２１のそれぞれの人感センサー３２５が検知している場合は、各空間の汚れた空気を強制的に屋外へ排出する。そのため、それぞれが換気風量を確保することを優先としてＱ２´＝Ｑ３＝１５０〔ｍ３／ｈ〕で運転し、一定時間は換気風量過多状態となるが、人感センサー３２５が非検知となり、汚れた空気が排出された後は、ステップＳ３０３に戻り、Ｑ１´＝１２５〔ｍ３／ｈ〕となり、もとの総換気風量Ｑ＝２５０〔ｍ３／ｈ〕が保持された状態となる。
【０２１９】
本実施の形態６では、換気システムにおいて換気扇を２台用いた場合を例として説明をしたが、換気扇の台数が増加した場合も同様の効果が得られる。
【０２２０】
以上のように、本実施の形態６の換気システムによれば、換気扇が互いの情報を取得し、総換気風量判断手段３１８で得られた情報と同一建屋内に設置されている換気扇の風量および数量情報とから自己の風量を判断し運転する構成としている。これにより、センサーを搭載した換気扇において、センサー信号に連動して一定時間風量を増加させなければならない場合でも、建屋全体の必要な総換気風量に対して、換気扇は主従関係なく自己の風量を増減し調整できるので、建屋全体の風量を最適に保つことが可能となる。
【０２２１】
本実施の形態６の換気システムのように、複数の換気扇の間で互いの風量情報を取得して、換気システム全体として必要な総換気風量を得るために、自己の風量を制御するというような考え方は、上述の実施の形態１の換気扇についても適用可能である。
【０２２２】
例えば、図３０の換気システムの換気扇の制御構成のブロック図に示すように、各換気扇に対して通信モジュール３３６を本体ユニット５１に交換可能に装着させて、複数の換気扇の間で風量情報の受け渡しを通信モジュール３３６にて行うようにしても良い。
【０２２３】
このような通信モジュール３３６は、例えば、センサーモジュール３６と共通するモジュールとして構成すれば、換気扇において通信モジュール３３６が必要な場合にセンサーモジュール３６と交換して装着することもできる。通信モジュール３３６は、床面積設定部３１１と、情報送信部３１６と、情報受信部３１７と、これら各構成の制御を行うモジュール制御部３３０と、モジュール取り付け台３７のコネクター１６ｂに接続するコネクター３３８とを備える。
【０２２４】
また、室内環境に求められる室内環境検出センサーを搭載したセンサーモジュール３６と通信モジュール３３６とを組み合わせて、本体ユニット５１に取り付けることにより、本実施の形態６の換気システムによる効果を得ることが可能となる。
【０２２５】
以上のように上述の実施の形態５および６によれば、換気扇がネットワークを構成するため建物内に必要な風量を最適に提供することができるため、家庭用の用途のほか、事務所、店舗等の用途などに適用することが出来る。
【０２２６】
なお、上記様々な実施の形態のうちの任意の実施の形態を適宜組み合わせることにより、それぞれの有する効果を奏するようにすることができる。
【０２２７】
本発明は、添付図面を参照しながら好ましい実施の形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【図１】
0005988112.tif 000002
【図２】
0005988112.tif 000003
【図３】
0005988112.tif 000004
【図４】
0005988112.tif 000005
【図５】
0005988112.tif 000006
【図６】
0005988112.tif 000007
【図７】
0005988112.tif 000008
【図８】
0005988112.tif 000009
【図９】
0005988112.tif 000010
【図１０】
0005988112.tif 000011
【図１１】
0005988112.tif 000012
【図１２】
0005988112.tif 000013
【図１３】
0005988112.tif 000014
【図１４】
0005988112.tif 000015
【図１５】
0005988112.tif 000016
【図１６】
0005988112.tif 000017
【図１７】
0005988112.tif 000018
【図１８】
0005988112.tif 000019
【図１９】
0005988112.tif 000020
【図２０】
0005988112.tif 000021
【図２１】
0005988112.tif 000022
【図２２】
0005988112.tif 000023
【図２３】
0005988112.tif 000024
【図２４】
0005988112.tif 000025
【図２５】
0005988112.tif 000026
【図２６】
0005988112.tif 000027
【図２７】
0005988112.tif 000028
【図２８】
0005988112.tif 000029
【図２９】
0005988112.tif 000030
【図３０】
0005988112.tif 000031